(57)【要約】      （修正有）【課題】台紙の構成を複雑なものにすることなく、かつ接着剤等を用いることなく固定強度の高い光記録媒体用ケースを提供する。【解決手段】折り曲げ可能な素材からなる光記録媒体用ケース１において、光記録媒体の一方の面を覆う台紙部２と、台紙部の一方の辺に折り曲げ線３を介して連接され、光記録媒体を保持する為のスリット４が形成された保持片５と、台紙部２の他方の辺に折り曲げ線６を介して連接され、つめ部７が形成された折り返し片８とを備え、スリットにつめ部７を挿入することにより光記録媒体を梱包する。記録媒体用ケース１は、光記録媒体が保持されるスリットと、最終的につめ部が挿入されて梱包が完了するスリットが同じであるため、設計構造がシンプルになるとともに接着剤等をもちいることなく固定強度の高い光記録媒体用ケース。【選択図】図１
2011093568.tif 000002
【特許請求の範囲】
【請求項１】
折り曲げ可能な素材からなる光記録媒体用ケースにおいて、
光記録媒体の一方の面を覆う台紙部と、
該台紙部の一方の辺に折り曲げ線を介して連接され、光記録媒体を保持する為のスリットが形成された保持片と、
前記台紙部の他方の辺に折り曲げ線を介して連接され、つめ部が形成された折り返し片とを備え、
前記スリットに前記つめ部を挿入することにより光記録媒体を梱包することを特徴とする光記録媒体用ケース。
【請求項２】
前記つめ部は光記録媒体の中心孔を通して前記スリットに挿入されることを特徴とする請求項１に記載の光記録媒体用ケース。
【請求項３】
前記折り曲げ可能な素材は紙であることを特徴とする請求項１または２に記載の光記録媒体用ケース。
【請求項４】
前記折り曲げ可能な素材は合成樹脂であることを特徴とする請求項１または２に記載の光記録媒体用ケース。
【請求項５】
折り曲げ可能な素材からなる光記録媒体用ケースにおいて、
光記録媒体を保持する為のスリットが設けられた台紙部と、
該台紙部の相対する２辺にそれぞれ折り曲げ線を介して連接され、つめ部が形成された折り返し片とを備え、
該両折り返し片を折り曲げ線に沿って前記台紙部を介して相対する方向に折り曲げ、前記つめ部を前記スリットに挿入することにより光記録媒体を梱包することを特徴とする光記録媒体用ケース。
【請求項６】
前記つめ部は光記録媒体の中心孔を通して前記スリットに挿入されることを特徴とする請求項５に記載の光記録媒体用ケース。
【請求項７】
前記折り曲げ可能な素材は紙であることを特徴とする請求項５または６に記載の光記録媒体用ケース。
【請求項８】
前記折り曲げ可能な素材は合成樹脂であることを特徴とする請求項５または６に記載の光記録媒体用ケース。
【発明の詳細な説明】
【技術分野】
【０００１】
本発明は、CD（コンパト・ディスク）、DVD（デジタル・ヴァーサタイル・ディスク）、BD（ブルーレイ・ディスク）等の円盤状光記録媒体の梱包用ケースに関するものである。
【背景技術】
【０００２】
従来、CD、DVD、BD等の円盤状光記録媒体の梱包用ケースとしては、光記録媒体収納用の凹部を有する本体と、この本体に開閉可能に連結された蓋体とからなる透明なプラスチック製ケースが一般に用いられてきた。しかしながら、近年は、廃棄時の公害防止・環境配慮の観点や、製造コスト軽減の観点より、上記プラスチック製のケースに替わり紙製のケースが主流になりつつあり、特に街頭で配られる配布CD等は紙製のケースを用いられることが多くなってきている。
【０００３】
ところで、紙製のケースは、当初、複数の紙材を接着剤等で張り合わせたり、１枚の紙材を折り曲げた後接着剤等で張り合わせて袋状のケースを作り、その中に光記録媒体を挿入する構造になっていた。しかしながら、上記のような構造では、ケースの中に挿入された光記録媒体の固定が十分ではなく、ケースの向きによって光記録媒体がケースから抜け出てしまう問題が生じていた。また、作業工程を削減しコストの軽減を図るべく接着剤を用いない、より製造の容易な紙製のケースが求められてきた。そして最近、固定強度を高めるとともに、接着剤等を用いない紙製の光記録媒体用ケースが各種提案されている。
【０００４】
実案第３０３７０２３号には、押え板紙に設けた舌片をコンパクトディスクの中央開口を通して基本台紙に設けた切り込みに差し込んでコンパクトディスクを固定するとともに、第１、２保護板紙を折り曲げてコンパクトディスクを梱包する構造が開示されている。
【０００５】
次に、特開２００３−１３７３８２には、台紙部に設けられた光ディスク記録媒体の中心孔を固定する固定部と、光ディスク記録媒体の周縁の一部を挿入し得る切り込み部により光ディスク記録媒体を固定する構造が開示されている。
【０００６】
また、特開平１０−３２９８８２には、折り返し片に設けられた切り込み部にコンパクトディスクを挿入し、表台紙と裏台紙とを折重ねてコンパクトディスクを梱包する構造が開示されている。
【０００７】
さらに、特開平１１−２９２１７９には、ベース板の両側縁に連接された保持片に切込みを設け、該両切込みにディスクを挿入して固定し、ディスク重合板に設けられた切欠部に抑え板に設けられた差し込み舌片を挿入して梱包する構造が開示されている。さらにまた、これら上記公報に記載のケースは、接着剤等を用いることなく、紙状の台紙を折り込むことのみで梱包する構造になっている。
【先行技術文献】
【特許文献】
【０００８】
【特許文献１】実案第３０３７０２３号
【特許文献２】特開２００３−１３７３８２
【特許文献３】特開平１０−３２９８８２
【特許文献４】特開平１１−２９２１７９
【発明の概要】
【発明が解決しようとする課題】
【０００９】
しかしながら、上述した実案第３０３７０２３号、特開２００３−１３７３８２、特開平１０−３２９８８２に関しては、光記録媒体の固定はされているものの、ケース自体を閉じる係止機能にあたるものはなく、携行する時などに意図せずにケースが開いてしまい光記録媒体を傷つけてしまう問題が生じる。ケースを閉じるためには接着剤等を使用する必要がある。
【００１０】
また、特開平１１−２９２１７９に関しては、保持片をベース板の両側に連接させるような構造になっているため、ケースを閉じる係止機能を付加すると開示されているような切欠部を設ける必要が生じ、台紙の構造が複雑になる。
【００１１】
本発明は、上記従来技術の問題点に鑑みてなされたものであり、台紙の構成を複雑なものにすることなく固定強度が高い光記録媒体用ケースを提供することを目的とする。
【課題を解決するための手段】
【００１２】
本発明は、次のような技術手段によって前記課題を解決する。
【００１３】
本願の第１の発明は、折り曲げ可能な素材からなる光記録媒体用ケースにおいて、光記録媒体の一方の面を覆う台紙部と、該台紙部の一方の辺に折り曲げ線を介して連接され、光記録媒体を保持する為のスリットが形成された保持片と、前記台紙部の他方の辺に折り曲げ線を介して連接され、つめ部が形成された折り返し片とを備え、前記スリットに前記つめ部を挿入することにより光記録媒体を梱包することを特徴とする。
【００１４】
本願の第２の発明は、第１の発明において、前記つめ部は光記録媒体の中心孔を通して前記スリットに挿入されることを特徴とする。
【００１５】
本願の第３の発明は、第１または２の発明において、前記折り曲げ可能な素材は紙であることを特徴とする。
【００１６】
本願の第４の発明は、第１または２の発明において、前記折り曲げ可能な素材は合成樹脂であることを特徴とする。
【００１７】
本願の第５の発明は、折り曲げ可能な素材からなる光記録媒体用ケースにおいて、光記録媒体を保持する為のスリットが設けられた台紙部と、該台紙部の相対する２辺にそれぞれ折り曲げ線を介して連接され、つめ部が形成された折り返し片とを備え、該両折り返し片を折り曲げ線に沿って前記台紙部を介して相対する方向に折り曲げ、前記つめ部を前記スリットに挿入することにより光記録媒体を梱包することを特徴とする。
【００１８】
本願の第６の発明は、第５の発明において、前記つめ部は光記録媒体の中心孔を通して前記スリットに挿入されることを特徴とする。
【００１９】
本願の第７の発明は、第５または６の発明において、前記折り曲げ可能な素材は紙であることを特徴とする。
【００２０】
本願の第８の発明は、第５または６の発明において、前記折り曲げ可能な素材は合成樹脂であることを特徴とする。
【発明の効果】
【００２１】
本発明によれば、光記録媒体が保持されるスリットと、梱包するためのつめ部を挿入固定するスリットとが同一のスリットで構成するため、設計構造をシンプルにすることができる。また、本発明で説明する光記録媒体用ケースは、Ａ４判の印刷サイズ（２９７ｍｍ×２１０ｍｍ
）で収めることができるため、多様なユーザーのニーズに合わせた光記録媒体用ケースの提供が可能となる。
【図面の簡単な説明】
【００２２】
【図１】本発明の第一の実施形態に係る光記録媒体用ケースの平面展開図である。
【図２】本発明の第一の実施形態に係る光記録媒体用ケースを用いて光記録媒体を梱包する様子を示した図である。
【図３】本発明の第二の実施形態に係る光記録媒体用ケースの平面展開図である。
【図４】本発明の第二の実施形態に係る光記録媒体用ケースを用いて光記録媒体を梱包する様子を示した図である。
【図５】本発明の第二の実施形態に係る光記録媒体用ケースを開封する様子を示す図である。
【図６】本発明の第三の実施形態に係る光記録媒体用ケースの平面展開図である。
【図７】本発明の第三の実施形態に係る光記録媒体用ケースを用いて光記録媒体を梱包する様子を示した図である。
【図８】本発明の第四の実施形態に係る光記録媒体用ケースの平面展開図である。
【図９】本発明の第四の実施形態に係る光記録媒体用ケースを用いて光記録媒体を梱包する様子を示した図である。
【図１０】本発明の第五の実施形態に係る光記録媒体用ケースの平面展開図である。
【図１１】本発明の第五の実施形態に係る光記録媒体用ケースを用いて光記録媒体を梱包する様子を示した図である。
【図１２】本発明の第六の実施形態に係る光記録媒体用ケースの平面展開図である。
【図１３】本発明の第六の実施形態に係る光記録媒体用ケースを用いて光記録媒体を梱包する様子を示した図である。
【図１４】本発明の第七の実施形態に係る光記録媒体用ケースの平面展開図である。
【図１５】本発明の第七の実施形態に係る光記録媒体用ケースを用いて光記録媒体を梱包する様子を示した図である。
【発明を実施するための形態】
【実施例１】
【００２３】
本発明の実施形態に係る光記録媒体用ケースについて、図１乃至図１５とともに説明する。
【００２４】
図１は、本発明の第一の実施形態に係る光記録媒体用ケースを示す展開平面図である。本実施形態の光記録媒体用ケース１は、折り曲げ可能な素材から成り、光記録媒体の一方の面を覆う台紙部２と、台紙部２の一の辺に折り曲げ線３を介して連接され、光記録媒体を保持するスリット４が形成された保持片５と、台紙部２の辺のうち、保持片５が連接された辺と向かい合う辺に折り曲げ線６を介して連接され、つめ部７が形成された折り返し片８とから構成される。光記録媒体用ケース１は、例えば、紙、薄いプラスチック、アルミ素材などであるが、もちろんこれらに限定されるものではない。
【００２５】
図２は、光記録媒体用ケース１で光記録媒体を梱包する様子を示した図である。光記録媒体用ケース１は、折り曲げ線３において保持片５を折り曲げ（図２−A）、スリット４に光記録媒体を挿入した後、折り曲げ線６において、台紙部２の保持片５を折り曲げた面と同じ方向に光記録媒体を覆うように折り返し片８を折り曲げ、折り返し片８に設けられたつめ部７を保持片５に設けられたスリット４に挿入することによって光記録媒体を梱包する(図２−B)。
【００２６】
光記録媒体用ケース１は、スリット４で光記録媒体を保持した上で、つめ部７をスリット４に挿入することにより光記録媒体を梱包するため、接着剤等を用いることなく光記録媒体のケースからの脱落を防ぐことができるとともに、
光記録媒体を携行する時などに意図せずにケースが開いてしまい光記録媒体を傷つけてしまうことも防ぐことができる。
【００２７】
また、光記録媒体用ケース１は、光記録媒体が保持されるスリット４と、最終的につめ部７が挿入されて梱包が完了するスリット４が同じであるため、設計構造がシンプルになり、製造が容易になる。
【００２８】
上記設計構造がシンプルであることに加えて、光記録媒体用ケース１は、Ａ４判の印刷サイズ（２９７ｍｍ×２１０ｍｍ
）に収まるため、例えば、Ａ４判の用紙に構造をプリントし、ユーザーが切り取ることにより光記録媒体用ケース１が完成するようなことも可能になる。さらには、設計構造の電子データのみを提供し、ユーザーが好みの用紙でプリントアウトすることによって光記録媒体用ケース１が完成するようなことも可能になる。
【００２９】
光記録媒体用ケース１をこのような構成にすることにより、光記録媒体の固定・梱包強度を落とすことなく、多様なユーザーのニーズに合わせた光記録媒体用ケースの提供が可能になる。
【実施例２】
【００３０】
次に、上記した本発明の第一の実施形態の光記録媒体用ケース１の保持片５及び折り返し片８の構造を変えた第二の実施形態に係る光記録媒体用ケースを説明するが、上記第一の実施形態と同一箇所については同一符号を付し、重複する説明は省略する。
【００３１】
図３は、本発明の第二の実施形態に係る光記録媒体用ケース１１を示す展開平面図である。光記録媒体用ケース１１は、前述した第一の実施形態の光記録媒体用ケース１から保持片、折り返し片、スリットの構造に変化を加えたものである。
【００３２】
保持片１５は、光記録媒体の直径より少し大きいスリット１４が設けられ、折り曲げ線３に対向しスリット１４に沿う辺に膨らみを持たせた略台形の形状をしている。また、スリット１４は、折り曲げ線３で折り曲げた時に台紙部２の一方の対角線上に略重なるように保持片１５に形成されている。次に、折り返し片１８は、上記保持辺１５を１８０°回転させた構造になっており、折り曲げ線６に対向する辺には保持片１５同様に膨らみが形成されている。
【００３３】
図４は、光記録媒体用ケース１１で光記録媒体を梱包する様子を示した図である。光記録媒体用ケース１１は、折り曲げ線３において保持片１５を折り曲げ（図４−A）、スリット１４に光記録媒体を挿入した後、折り曲げ線６において、台紙部２の保持片１５を折り曲げた面と同じ方向に光記録媒体を覆うように折り返し片１８を折り曲げ、折り返し片１８の膨らみ部分を保持片１５に設けられたスリット１４に挿入することによって光記録媒体を梱包する（図４−B）。
【００３４】
光記録媒体用ケース１１は、スリット１４で光記録媒体を保持した上で、折り返し片１８の膨らみ辺をスリット１４に挿入することにより光記録媒体を梱包するため、接着剤等を用いることなく光記録媒体のケースからの脱落を防ぐことができるとともに、光記録媒体を携行する時などに意図せずにケースが開いてしまい光記録媒体を傷つけてしまうことも防ぐことができる。
【００３５】
また、スリットの大きさを光記録媒体の直径より少し大きくすることでより保持強度は高くなり光記録媒体の脱落を防ぐことができる。しかしながら、スリットを大きくすれば、スリットの端と保持片の端との距離が短くなり、特に光記録媒体用ケースが紙でできている場合、その部分が折れ曲がったり、切れたりする原因になる。しかしながら本発明は、スリット１４を台紙部２の一方の対角線に略重なるように形成しているので、スリット１４の大きさを光記録媒体の直径より少し大きくし保持強度を高くするとともに、スリット１４の端と保持片１５の端との距離を広くすることができ、折れ曲がりや、切れを防ぐことができ強度を保つことができる。  
【００３６】
そして、光記録媒体用ケース１１は、光記録媒体が保持されるスリット１４と、最終的に折り返し片１８の膨らみ辺が挿入されて梱包が完了するスリット１４が同じであるため、設計構造がシンプルになり、製造が容易になる。
【００３７】
上記設計構造がシンプルであることに加えて、光記録媒体用ケース１１は、Ａ４判の印刷サイズ（２９７ｍｍ×２１０ｍｍ
）に収まるため、例えば、Ａ４判の用紙に構造をプリントし、ユーザーが切り取ることにより光記録媒体用ケース１１が完成するようなことも可能になる。さらには、設計構造の電子データのみを提供し、ユーザーが好みの用紙でプリントアウトすることによって光記録媒体用ケース１１が完成するようなことも可能になる。
【００３８】
さらに、光記録媒体用ケース１１においては、折り返し片１８の１辺をつめ部として利用する構造になっているため、新たにつめ部を設ける必要がなく、光記録媒体用ケース１に比べてさらに簡易な設計構造になっている。
【００３９】
さらにまた、上記のような構造にすることにより、光記録媒体用ケース１１の開封が飛躍的に容易になる。図５は、光記録媒体用ケース１１を開封する様子を示す図である。光記録媒体用ケース２は、つめ部として折り返し片の１辺を利用しているので、親指をスライドさせることにより片手で簡単にケースの開封することが可能になる。
【実施例３】
【００４０】
次に、上記した本発明の第二の実施形態の光記録媒体用ケース１１の折り返し片１８の構造を変えた第三の実施形態に係る光記録媒体用ケースを説明するが、上記第二の実施形態と同一箇所については同一符号を付し、重複する説明は省略する。
【００４１】
図６は、本発明の第三の実施形態に係る光記録媒体用ケース２１を示す展開平面図である。光記録媒体用ケース２１は、前述した第二の実施形態の光記録媒体用ケース１１から折り返し片の構造に変化を加えたものである。
【００４２】
折り返し片２８は、折り曲げ線６の対角に位置する辺を、光記録媒体用ケース１１の折り返し片１８の膨らみ辺の中点近辺にくぼみを加え、２つの膨らみ部分を有する形状にしている。
【００４３】
図７は、光記録媒体用ケース２１で光記録媒体を梱包する様子を示した図である。光記録媒体用ケース２１は、折り曲げ線３において保持片１５を折り曲げ（図７−A）、スリット１４に光記録媒体を挿入した後、折り曲げ線６において、台紙部１の保持片５を折り曲げた面と同じ方向に光記録媒体を覆うように折り返し片２８を折り曲げ、折り返し片２８の膨らみ辺の一方の膨らみ部分を保持片１５に設けられたスリット１４に挿入することによって光記録媒体を梱包する（図７−B）。
【００４４】
光記録媒体用ケース２１は、スリット１４で光記録媒体を保持した上で、折り返し片２８の膨らみ辺の一方の膨らみをスリット１４に挿入することにより光記録媒体を梱包するため、接着剤等を用いることなく光記録媒体のケースからの脱落を防ぐことができるとともに、
光記録媒体を携行する時などに意図せずにケースが開いてしまい光記録媒体を傷つけてしまうことも防ぐことができる。
【００４５】
また、スリットの大きさを光記録媒体の直径より少し大きくすることでより保持強度は高くなり光記録媒体の脱落を防ぐことができる。しかしながら、スリットを大きくすれば、スリットの端と保持片の端との距離が短くなり、特に光記録媒体用ケースが紙でできている場合、その部分が折れ曲がったり、切れたりする原因になる。しかしながら本発明は、スリット１４を台紙部２の一方の対角線に略重なるように形成しているので、スリット１４の大きさを光記録媒体の直径より少し大きくし保持強度を高くするとともに、スリット１４の端と保持片１５の端との距離を広くすることができ、折れ曲がりや、切れを防ぐことができ強度を保つことができる。
【００４６】
そして、光記録媒体用ケース２１は、光記録媒体が保持されるスリット１４と、最終的に折り返し片２８の膨らみ辺の一方の膨らみが挿入されて梱包が完了するスリット１４が同じであるため、設計構造がシンプルになり、製造が容易になる。
【００４７】
上記設計構造がシンプルであることに加えて、光記録媒体用ケース２１は、Ａ４判の印刷サイズ（２９７ｍｍ×２１０ｍｍ
）に収まるため、例えば、Ａ４判の用紙に構造をプリントし、ユーザーが切り取ることにより光記録媒体用ケース２１が完成するようなことも可能になる。さらには、設計構造の電子データのみを提供し、ユーザーが好みの用紙でプリントアウトすることによって光記録媒体用ケース２１が完成するようなことも可能になる。
【００４８】
さらに、光記録媒体用ケース２１においては、折り返し片２８の１辺をつめ部として利用する構造になっているため、新たにつめ部を設ける必要がなく、光記録媒体用ケース１に比べてさらに簡易な設計構造になっている。
【００４９】
さらにまた、光記録媒体用ケース２１は、ケースの開封時において、前述した第二の実施形態の光記録媒体用ケース１１に比べて親指をスライドさせる距離が短くなり、より容易に開封することが可能になる。
【実施例４】
【００５０】
次に、上記した本発明の第二の実施形態の光記録媒体用ケース１１の折り返し片１８の構造を変えた第四の実施形態に係る光記録媒体用ケースを説明するが、上記第二の実施形態と同一箇所については同一符号を付し、重複する説明は省略する。
【００５１】
図８は、本発明の第四の実施形態に係る光記録媒体用ケース３１を示す展開平面図である。光記録媒体用ケース３１は、光記録媒体用ケース１１から折り返し片の構造に変化を加えたものである。
【００５２】
折り返し片３８は、光記録媒体用ケース１１の折り返し片１８の膨らみ辺の中点近辺に、梱包時に光記録媒体の中心孔に挿入する挿入辺３９を形成した形状になっている。
【００５３】
図９は、光記録媒体用ケース３１で光記録媒体を梱包する様子を示した図である。光記録媒体用ケース３１は、折り曲げ線３において保持片１５を折り曲げ（図９−A）、スリット１４に光記録媒体を挿入した後、折り曲げ線６において、台紙部１の保持片５を折り曲げた面と同じ方向に光記録媒体を覆うように折り返し片３８を折り曲げ、折り返し片３８の膨らみ部分を保持片１５に設けられたスリット１４に挿入するとともに、挿入辺３９を光記録媒体の中心孔に挿入することによって光記録媒体を梱包する（図９−B）。
【００５４】
光記録媒体用ケース３１は、スリット１４で光記録媒体を保持した上で、折り返し片３８の膨らみ部分をスリット１４に挿入するとともに挿入辺３９を光記録媒体の中心孔に挿入することにより光記録媒体を梱包するため、接着剤等を用いることなく光記録媒体のケースからの脱落を防ぐことができるとともに、
光記録媒体を携行する時などに意図せずにケースが開いてしまい光記録媒体を傷つけてしまうことも防ぐことができる。
【００５５】
また、スリットの大きさを光記録媒体の直径より少し大きくすることでより保持強度は高くなり光記録媒体の脱落を防ぐことができる。しかしながら、スリットを大きくすれば、スリットの端と保持片の端との距離が短くなり、特に光記録媒体用ケースが紙でできている場合、その部分が折れ曲がったり、切れたりする原因になる。しかしながら本発明は、スリット１４を台紙部２の一方の対角線に略重なるように形成しているので、スリット１４の大きさを光記録媒体の直径より少し大きくし保持強度を高くするとともに、スリット１４の端と保持片１５の端との距離を広くすることができ、折れ曲がりや、切れを防ぐことができ強度を保つことができる。
【００５６】
そして、光記録媒体用ケース３１は、光記録媒体が保持されるスリット１４と、最終的に折り返し片３８の膨らみ辺が挿入されて梱包が完了するスリット１４が同じであるため、設計構造がシンプルになり、製造が容易になる。
【００５７】
上記設計構造がシンプルであることに加えて、光記録媒体用ケース３１は、Ａ４判の印刷サイズ（２９７ｍｍ×２１０ｍｍ
）に収まるため、例えば、Ａ４判の用紙に構造をプリントし、ユーザーが切り取ることにより光記録媒体用ケース３１が完成するようなことも可能になる。さらには、設計構造の電子データのみを提供し、ユーザーが好みの用紙でプリントアウトすることによって光記録媒体用ケース３１が完成するようなことも可能になる。
【００５８】
さらに、光記録媒体用ケース３１においては、折り返し片３８の膨らみ辺をスリット１４に挿入固定することに加えて、挿入辺３９を光記録媒体の中心孔に挿入するので、光記録媒体の固定強度が増す。
【実施例５】
【００５９】
上述した本発明の第一乃至第四の実施形態に係る光記録媒体用ケース１乃至４は、台紙部、スリットが設けられた保持辺、及びスリットに挿入固定する折り返し片からなる光記録媒体用ケースを説明してきたが、以降では、スリットが設けられ光記録媒体を保持する機能を有した台紙部と、その両端に設けられた２つの折り返し片からなる光記録媒体用ケースを説明する。
【００６０】
図１０は、本発明の第五の実施形態に係る光記録媒体用ケースを示す展開平面図である。本実施形態の光記録媒体用ケース４１は、折り曲げ可能な素材から成り、光記録媒体の直径より少し大きいスリット４４が略対角線上に設けられた台紙部４２と、該台紙部４２の両辺に折り曲げ線３、６を介して連接され、折り曲げ線３、６の対角に位置する辺に膨らみを持たせた略台形状でかつ互いに１８０°回転させた形状の折り返し片４５、４８から構成される。光記録媒体用ケース４１は、例えば、紙、薄いプラスチック、アルミ素材などであるが、もちろんこれらに限定されるものではない。
【００６１】
図１１は、光記録媒体用ケース４１で光記録媒体を梱包する様子を示した図である。光記録媒体用ケース４１は、折り曲げ線３、６において折り返し片４５、４８を台紙部４２の面に対して互いに逆方向に折り曲げ、それぞれの折り返し片４５，４８を台紙部４２に設けられたスリット４４に互いに逆方向（逆の面）から挿入することによって光記録媒体を梱包する。
【００６２】
光記録媒体用ケース４１は、スリット４４で光記録媒体を保持した上で、折り返し片４５、４８をスリット４４に挿入することにより光記録媒体を梱包するため、接着剤等を用いることなく光記録媒体のケースからの脱落を防ぐことができるとともに、
光記録媒体を携行する時などに意図せずにケースが開いてしまい光記録媒体を傷つけてしまうことも防ぐことができる。
【００６３】
また、スリットの大きさを光記録媒体の直径より少し大きくすることでより保持強度は高くなり光記録媒体の脱落を防ぐことができる。しかしながら、スリットを大きくすれば、スリットの端と保持片の端との距離が短くなり、特に光記録媒体用ケースが紙でできている場合、その部分が折れ曲がったり、切れたりする原因になる。しかしながら本発明は、スリット４４を台紙部４２の一方の略対角線上に形成しているので、スリット４４の大きさを光記録媒体の直径より少し大きくし保持強度を高くするとともに、スリット４４の端と台紙部４２の端との距離を広くすることができ、折れ曲がりや、切れを防ぐことができ強度を保つことができる。
【００６４】
そして、光記録媒体用ケース４１は、光記録媒体が保持されるスリット４４と、最終的に折り返し片４５、４８が挿入されて梱包が完了するスリット４４が同じであるため、設計構造がシンプルになり、製造が容易になる。
【００６５】
上記設計構造がシンプルであることに加えて、光記録媒体用ケース４１は、Ａ４判の印刷サイズ（２９７ｍｍ×２１０ｍｍ
）に収まるため、例えば、Ａ４判の用紙に構造をプリントし、ユーザーが切り取ることにより光記録媒体用ケース４１が完成するようなことも可能になる。さらには、設計構造の電子データのみを提供し、ユーザーが好みの用紙でプリントアウトすることによって光記録媒体用ケース４１が完成するようなことも可能になる。
【００６６】
光記録媒体用ケース４１をこのような構成にすることにより、光記録媒体の固定・梱包強度を落とすことなく、多様なユーザーのニーズに合わせた光記録媒体用ケースの提供が可能になる。
【００６７】
さらに、光記録媒体用ケース４１は、つめ部として折り返し片４５，４８の１辺を利用しているので、親指をスライドさせることにより片手で簡単にケースの開封することが可能になる。
【００６８】
さらにまた、光記録媒体用ケース４１は、台紙部４２の両端に設けられた折り返し片４５，４８を台紙部４２に設けられたスリット４４に挿入し固定する構造になっているため、光記録媒体用ケース４１の両面のどちらからでも開封をすることが可能になる。そのため、使用者の利き腕が右でも左でも関係なく開封作業を行うことができる。
【実施例６】
【００６９】
次に、上記した本発明の第五の実施形態の光記録媒体用ケース４１の折り返し片４５、４８の構造を変えた第六の実施形態に係る光記録媒体用ケースを説明するが、上記第五の実施形態と同一箇所については同一符号を付し、重複する説明は省略する。
【００７０】
図１２は、本発明の第六の実施形態に係る光記録媒体用ケース５１を示す展開平面図である。光記録媒体用ケース５１は、光記録媒体用ケース４１から折り返し片の構造に変化を加えたものである。
【００７１】
折り返し片５５、５８は、折り曲げ線３、６の対角に位置する辺を、光記録媒体用ケース４１の折り返し片４５，４８の膨らみ辺の中点近辺にくぼみを加えた２つの膨らみ部分を有する形状にしている。
【００７２】
図１３は、光記録媒体用ケース５１で光記録媒体を梱包する様子を示した図である。光記録媒体用ケース５１は、折り曲げ線３、６において折り返し片５５、５８を台紙部４２の面に対して互いに逆方向に折り曲げ、それぞれの折り返し片５５，５８の膨らみ辺の一方の膨らみ部分を台紙部４２に設けられたスリット４４に互いに逆方向（逆の面）から挿入することによって光記録媒体を梱包する。
【００７３】
光記録媒体用ケース５１は、スリット４４で光記録媒体を保持した上で、折り返し片５５、５８の膨らみ辺の一方の膨らみ部分をスリット４４に挿入することにより光記録媒体を梱包するため、接着剤等を用いることなく光記録媒体のケースからの脱落を防ぐことができるとともに、
光記録媒体を携行する時などに意図せずにケースが開いてしまい光記録媒体を傷つけてしまうことも防ぐことができる。
【００７４】
また、スリットの大きさを光記録媒体の直径より少し大きくすることでより保持強度は高くなり光記録媒体の脱落を防ぐことができる。しかしながら、スリットを大きくすれば、スリットの端と保持片の端との距離が短くなり、特に光記録媒体用ケースが紙でできている場合、その部分が折れ曲がったり、切れたりする原因になる。しかしながら本発明は、スリット４４を台紙部４２の一方の略対角線上に形成しているので、スリット４４の大きさを光記録媒体の直径より少し大きくし保持強度を高くするとともに、スリット４４の端と台紙部４２の端との距離を広くすることができ、折れ曲がりや、切れを防ぐことができ強度を保つことができる。
【００７５】
そして、光記録媒体用ケース５１は、光記録媒体が保持されるスリット４４と、最終的に折り返し片５５、５８の膨らみ辺の一方の膨らみをが挿入されて梱包が完了するスリット４４が同じであるため、設計構造がシンプルになり、製造が容易になる。
【００７６】
上記設計構造がシンプルであることに加えて、光記録媒体用ケース５１は、Ａ４判の印刷サイズ（２９７ｍｍ×２１０ｍｍ
）に収まるため、例えば、Ａ４判の用紙に構造をプリントし、ユーザーが切り取ることにより光記録媒体用ケース５１が完成するようなことも可能になる。さらには、設計構造の電子データのみを提供し、ユーザーが好みの用紙でプリントアウトすることによって光記録媒体用ケース４１が完成するようなことも可能になる。
【００７７】
光記録媒体用ケース５１をこのような構成にすることにより、光記録媒体の固定・梱包強度を落とすことなく、多様なユーザーのニーズに合わせた光記録媒体用ケースの提供が可能になる。
【００７８】
さらに、光記録媒体用ケース５１は、つめ部として折り返し片の１辺を利用しているので、親指を上方にスライドさせることにより片手で簡単にケースの開封することが可能になる。
【００７９】
さらにまた、光記録媒体用ケース５１は、台紙部４２の両端に設けられた折り返し片５５，５８の膨らみ辺の一方の膨らみをを台紙部４２に設けられたスリット４４に挿入し固定する構造になっているため、光記録媒体用ケース５１の両面のどちらからでも開封をすることが可能になる。そのため、使用者の利き腕が右でも左でも関係なく開封作業を行うことができる。
【００８０】
さらにまた、光記録媒体用ケース５１は、ケースの開封時において、前述した第５の実施形態の光記録媒体用ケース４１に比べて親指をスライドさせる距離が短くなり、より容易に開封することが可能になる。
【実施例７】
【００８１】
次に、上記した本発明の第五の実施形態の光記録媒体用ケース４１の折り返し片４５、４８の構造を変えた第七の実施形態に係る光記録媒体用ケースを説明するが、上記第五の実施形態と同一箇所については同一符号を付し、重複する説明は省略する。
【００８２】
図１４は、本発明の第七の実施形態に係る光記録媒体用ケース６１を示す展開平面図である。光記録媒体用ケース６１は、光記録媒体用ケース４１から折り返し片の構造に変化を加えたものである。
【００８３】
折り返し片６５、６８は、光記録媒体用ケース４１の折り返し片４５、４８の膨らみ辺の中点近辺に、梱包時に光記録媒体の中心孔に挿入する挿入辺６９を形成した形状になっている。
【００８４】
図１５は、光記録媒体用ケース６１で光記録媒体を梱包する様子を示した図である。光記録媒体用ケース６１は、折り曲げ線３、６において折り返し片６５，６８を台紙部４２の面に対して互いに逆方向に折り曲げ、それぞれの折り返し片６５，６８を台紙部４２に設けられたスリット４４に互いに逆方向（逆の面）から挿入するとともに、挿入辺６９を光記録媒体の中心孔に挿入することによって光記録媒体を梱包する。
【００８５】
光記録媒体用ケース６１は、スリット４４で光記録媒体を保持した上で、折り返し片６５、６８の膨らみ辺をスリット４４に挿入するとともに挿入辺６９を光記録媒体の中心孔に挿入することにより光記録媒体を梱包するため、接着剤等を用いることなく光記録媒体のケースからの脱落を防ぐことができるとともに、光記録媒体を携行する時などに意図せずにケースが開いてしまい光記録媒体を傷つけてしまうことも防ぐことができる。
【００８６】
また、スリットの大きさを光記録媒体の直径より少し大きくすることでより保持強度は高くなり光記録媒体の脱落を防ぐことができる。しかしながら、スリットを大きくすれば、スリットの端と保持片の端との距離が短くなり、特に光記録媒体用ケースが紙でできている場合、その部分が折れ曲がったり、切れたりする原因になる。しかしながら本発明は、スリット４４を台紙部４２の一方の略対角線上に形成しているので、スリット４４の大きさを光記録媒体の直径より少し大きくし保持強度を高くするとともに、スリット４４の端と台紙部４２の端との距離を広くすることができ、折れ曲がりや、切れを防ぐことができ強度を保つことができる。
【００８７】
そして、光記録媒体用ケース６１は、光記録媒体が保持されるスリット４４と、最終的に折り返し片６５、６８の膨らみ辺が挿入されて梱包が完了するスリット４４が同じであるため、設計構造がシンプルになり、製造が容易になる。
【００８８】
上記設計構造がシンプルであることに加えて、光記録媒体用ケース６１は、Ａ４判の印刷サイズ（２９７ｍｍ×２１０ｍｍ
）に収まるため、例えば、Ａ４判の用紙に構造をプリントし、ユーザーが切り取ることにより光記録媒体用ケース６１が完成するようなことも可能になる。さらには、設計構造の電子データのみを提供し、ユーザーが好みの用紙でプリントアウトすることによって光記録媒体用ケース６１が完成するようなことも可能になる。
【００８９】
光記録媒体用ケース６１をこのような構成にすることにより、光記録媒体の固定・梱包強度を落とすことなく、多様なユーザーのニーズに合わせた光記録媒体用ケースの提供が可能になる。
【００９０】
さらにまた、光記録媒体用ケース６１は、台紙部６２の両端に設けられた折り返し片６５，６８の膨らみ辺の一方の膨らみをを台紙部４２に設けられたスリット４４に挿入し固定する構造になっているため、光記録媒体用ケース６１の両面のどちらからでも開封をすることが可能になる。そのため、使用者の利き腕が右でも左でも関係なく開封作業を行うことができる。
【００９１】
さらに、光記録媒体用ケース６１においては、折り返し片６５，６８の膨らみ辺をスリット４４に挿入固定することに加えて、挿入辺６９を光記録媒体の中心孔に挿入するので、光記録媒体の固定強度が増す。
【符号の説明】
【００９２】
１、１１、２１、３１、４１、５１、６１・・・光記録媒体用ケース
２、４２・・・台紙部
３、６・・・折り曲げ線
４、１４、４４・・・スリット
５、１５・・・保持片
７・・・つめ部
８、１８、２８、３８、４５、４８、５５、５８、６５．６８・・・折り返し片
３９、６９・・・挿入片
【図１】
2011093568.tif 000003
【図２】
2011093568.tif 000004
【図３】
2011093568.tif 000005
【図４】
2011093568.tif 000006
【図５】
2011093568.tif 000007
【図６】
2011093568.tif 000008
【図７】
2011093568.tif 000009
【図８】
2011093568.tif 000010
【図９】
2011093568.tif 000011
【図１０】
2011093568.tif 000012
【図１１】
2011093568.tif 000013
【図１２】
2011093568.tif 000014
【図１３】
2011093568.tif 000015
【図１４】
2011093568.tif 000016
【図１５】
2011093568.tif 000017